(57)【要約】      （修正有）【課題】食品用箱体の接合は印籠型嵌め込み式で、側面においては連続均一表面状態になっている木製箱体に装飾面を構成する木製箱体の部材に異種の装飾性模様の絵柄を適用して木製箱体の表面部材には精巧なＵＶ印刷を施した装飾性木製容器を提供する。【解決手段】食品を収納できる木製容器において、当該容器が、四角形体、又は多角形体、又は円筒形体、又は楕円形体で、上記形状体を１〜５重に重なった蓋付き重箱状容器であって、当該容器の蓋面、側面、底面の表面のうち１〜２面に、ＵＶ印刷５された日本古来の絵柄４、又は祝い様相の精巧で、緻密な絵柄、或は図柄４を施しているＵＶ印刷を施した精巧な模様表面を持つ装飾性木製容器である。【選択図】図１
0003206355.tif 000002
【実用新案登録請求の範囲】
【請求項１】
食品等を収納できる木製容器において、当該容器が、四角形体、又は多角形体、又は円筒形体、又は楕円形体で、上記形状体を１〜５重に重なった蓋付き重箱状容器であって、当該容器の蓋面、側面、底面の表面のうち１〜２面に、ＵＶ印刷された日本古来の絵柄、又は祝い様相の精巧で、緻密な絵柄、或は図柄、或いはプリント写真、或は文体を施していることを特徴とするＵＶ印刷を施した精巧な模様表面を持つ装飾性木製容器。
【請求項２】
箱体を１〜５重に重ねた蓋付き重箱状容器が、一枚の箱体を縦１００〜５００ｍｍ、横１００〜５００ｍｍ、一辺の長さ５０〜１５０ｍｍ、直径１００〜３００ｍｍ、高さ３０〜１００ｍｍの四角形体、又は多角形体、又は円筒形体、楕円形体で、全体の高さとして４０〜５００ｍｍであって、当該箱体は杉材、松材、ナラ材、ファルカタ材、檜材、ヒバ材、桐材の０．８〜１０ｍｍ厚さの平板からなって、各箱体の接合は側板の上下に印籠型嵌め込み式、或は被せ式で、各箱体からなる重箱状容器の側面においては連続的表面状態になっていることを特徴とする請求項１に記載のＵＶ印刷を施した精巧な模様表面を持つ装飾性木製容器。
【請求項３】
重箱状容器で、それらの蓋面、側面、底面の表面のうち１〜２面に対してＵＶ印刷された日本古来の絵柄、又は祝い様相の精巧で、緻密な絵柄、或は図柄、或いはプリント写真、或は文体を、各表面に対して３０％以上の割合の面積で描いており、当該絵柄・図柄は、浮世絵、著名な山、日本古来の用具、動物、人物像、植物、建物、絵画、自然であって、鶴の絵柄、龍の絵柄、花笠絵柄、花吹雪絵柄、桜梅絵柄、松竹梅絵柄、御所車絵柄、浮世絵絵柄、扇絵柄、鶴亀絵柄、万華鏡絵柄、鳳凰絵柄、月兎絵柄、花車絵柄、市松模様絵柄、扇子模様絵柄、友禅絵柄  絣模様絵柄，花菊絵柄  から選ばれた１種、又は２種以上の絵柄・図柄、写真を各表面に施されていることを特徴とする請求項１、又は請求項２に記載のＵＶ印刷を施した精巧な模様表面を持つ装飾性木製容器。
【請求項４】
重箱状容器は、蓋体と各箱体の縁側板の上下に印籠的形式、又は被せ式の接合で，各箱体を嵌合可能な嵌め込み式形状になって、前記の縁側板部で開口の接合箇所に嵌め込み接合に適合した状態にしており、前記各箱体及び蓋体からなる重箱状容器には、蓋面、側面、底面の表面の内で１〜２面にＵＶ印刷を施した精巧な模様の絵柄、或は図柄の表面になって、その側面においては重箱全面の表面一体に形成され、前記表面体にＵＶ印刷で描かれた絵柄或いは図柄、或いはプリント写真、或は文体の面は、その表面で３０〜９０％面積割合を有していることを特徴とする請求項１〜請求項３のいずれかに記載のＵＶ印刷を施した精巧な模様表面を持つ装飾性木製容器。
【考案の詳細な説明】
【技術分野】
【０００１】  本考案は、食品等を収納できる木製容器で、弁当やおせち料理、贈答品などを入れる複数の箱体収納部を有する多段木製ケースの重箱等であって、容器の表面に装飾性を増すために、ＵＶ印刷を施した精巧・緻密な特殊模様の絵柄を持つ表面の木製容器に関するものである。
【背景技術】
【０００２】  木製箱の生産では、顧客からのデザイン要求及び受注量に応じて製造が行われているため、木製箱の製造業者は、デザインの異なる多種類の箱を少量ずつ製造することを求められることがある。特に、多種多様な商品を少量販売することにより個々の商品の高付加価値化を目指すという、近年の商品販売戦略の下では、デザインの異なる多種多様な木製箱の少量受注がより一層増加する傾向にあると言える。【０００３】  ところで、近年の技術革新及び流通機構の発展に伴い、容体や蓋体の立体的形状に独創的なデザインが施された紙箱も流通市場に登場している。しかし、紙箱は、その用途がそもそも商品の包装資材であることから、その保管容易性や輸送適応性が重要視される。このため、未だ多くの紙箱には、六面体や円柱体などのように積み上げ易くかつ嵩張らない一般的な立体的形状が採用されており、紙箱のデザインにおいては、現在もなお模様や色彩などの平面的装飾が極めて重要なデザイン要素であると言える。【０００４】木製の連結重箱において、複数の木製蝶番を備え、複数の辺部を有する多角形多段木製ケースにおいて、収容部を有する蓋体と第１の辺部において、第１の木製蝶番によって結合され、第１の収納部を有する第１の箱体と前記第１の収納部と前記第１の辺部以外の第２の辺部において第２の木製蝶番によって結合された第２の収納部を有する第２の箱体とを有する多段木製ケースが提案されている（特許文献１参照）。【０００５】また食品用収納容器として、所定の厚さの木材板よりなる木材層を備えた板材より構成される箱体の構造であって、少なくとも前面部，底面部，背面部，蓋面部となる各面部を、前記シート状基材を残して所定角度のＶ字状の溝をそれぞれ平行に複数切削形成して、該溝に直交する両側端縁に板厚の幅と略同幅長の段落ち部を形成し、前記前面部，底面部，背面部における前記段落ち部に位置して左右側板を接着固定して箱本体を構成して、前記背面部に前記溝を介して連続する前記蓋面部を開閉自在とし、左右側板の上端縁に当接される箱体の構造が提案されている（特許文献２参照）。【０００６】木製装飾性容器として、底部とこれに連なる第一側壁に折線を介して左右に連設し、第一側壁の一方又は双方に折線を介して上蓋片を連設した厚紙製より成り、内側表面に所望の色彩で着色した適宜図柄模様を描出した一方の箱形成部材と、該箱形成部材の底部並びに第一側壁の各内周縁に、第二側壁を夫々接着した桐材等の木製よりなる他方の箱形成部材とにより構成され、つい立てまたは屏風の飾り物に使用し得る容器が提案されている（特許文献３参照）。【０００７】天板の切断部及び側面板との境目がなくなり新しい感性、ファッション性のある高級感を付与した複合素材包装用木箱で、側面板の上部内側を丸鋸刃でＬ型に切り欠きして上部内側切り欠き部を設け、側面板内側に丸鋸刃でＵ溝を切り欠きし、そこに中敷チップボールを差し込み、枠組み接着したのち、天板を落とし込み接着固定する木製箱が提案されている（特許文献４参照）。【０００８】食品容器として、側枠と、上記側枠の下面側に一体的に取り付けられた底板と、上記側枠の上面側に着脱自在に被せられる蓋板とを備え、内部に調理済みの食品が収納され��弁当箱において、側枠、底板、蓋板のいずれか一つの特定部材が木材の単体からなり、他の部材が合成樹脂材からなる弁当箱が提案されている（特許文献５参照）。【０００９】重箱として、容体又は蓋本体の外面に凹設される凹所と、その凹所に嵌合可能な形状であって前記容体及び蓋本体とは別体の１枚の印刷用シートを用いて形成され、その印刷用シートの一面であって、印刷の施される化粧面を有した化粧板とを備えている箱が提案されている（特許文献６参照）。【００１０】木製で製作された重箱で、前記箱容器体及び蓋体には蓋面、側面、底面の表面内１〜２枚の印刷を施した表面を用いて形成され使用できる木製の食品用の連結箱体で、存在しておらず、とくに耐久性のある精巧なＵＶ印刷を施した表面の箱体の容器は存在していない。
【先行技術文献】
【特許文献】
【００１１】
【特許文献１】特開２０１２−２３６６４６号公報
【特許文献２】特開２００４−３４５６７３号公報
【特許文献３】実用新案登録第３０７３３９９号公報
【特許文献４】特開２００３−２６１６３号公報
【特許文献５】実用新案登録第３１９４７７９号公報
【特許文献６】実用新案登録第３１６０８３４号
【考案の概要】
【考案が解決しようとする課題】
【００１２】  しかしながら、立体的であるか平面的であるかを問わず、デザインの異なる多種類の絵柄入り装飾性箱体を少量生産した場合、一デザイン当たりの箱体の１個分の生産数量が減少することから、箱体の１個当たりの製造コストが高くなってしまう。このため、同一デザインの絵柄入り装飾性重箱体を大量生産する場合に比べて、自ずと箱体の１個当たりの製造コストが高くなり、また木目を持つ表面に精巧なＵＶ印刷を施した絵柄におけるデザインの多種類の絵柄入り装飾性木製重箱は製造されていない。またそのような装飾の木製の重箱に置いては、顧客に対して低廉な価格で提供できないという問題点があった。【００１３】  また、顧客がデザインの多種類の特殊の木製食品用重箱を要望する場合、一部の特殊デザインの商品の売れ行きが伸びるが、別の商品の販売数量が当初の見込みを大幅に越えるような状況が生じなく、特殊商品毎に木製重箱のデザインを異ならせれば、当該一部の商品の特殊絵柄の木製重箱を期待されている。当該一部の商品における絵柄付き木製重箱が生産不足で、在庫不足となるため再発注しなければならず、更に製造経費が嵩んでしまうという問題点もある。【００１４】既述従来から使用される箱体のパッケージである重箱構造を提供するものであって、各箱体の接合は印籠型嵌め込み式で、側面においては連続均一表面状態になっている木製箱体に、装飾面を構成する木製箱体の表面部材に精巧な緻密なＵＶ印刷を施した特殊の装飾性模様の絵柄を描いており、また木製箱体の素材として杉材、檜材、ヒバ材、桐材等であって、その表面の木製箱体の表面に刻印されたものでもあったり、厚紙、樹脂に絵柄を印刷されることにより製出された重箱は、安っぽくて気品が無く低級さを感受するものであった。また桐材等の木製箱体は、剛性と高級感が出現するが、高価となり、簡易包装が尊ばれる昨今の風潮に合致せず逆行するものとなる。【００１５】本考案では斯かる問題点を是正し、装飾性である絵柄付き木製重箱体として気品を充分に保ち、且つ高価にはならずに提供出来、その構成も簡便であるばかりか、商品使用した後の重箱は廃棄されずについ立て、または飾り物として室内の装飾品として利用して、後利用を有効に活用出来る絵柄付き木製重箱を提供することを目的とする。日本古来の絵柄、又は祝い様相の絵柄における精巧な図柄によって、重箱自体が重臣感をもった製品になった。化粧板の化粧面はＵＶ印刷により作り出されるので、特殊デザインが異なる多種多様表面の化粧板な重箱を製造できることを課題としている。
【課題を解決するための手段】
【００１６】食品等を収納できる木製容器において、当該容器が、四角形体、又は多角形体、又は円筒形体、又は楕円形体で、上記形状体を１〜５重に重なった蓋付き重箱状容器であって、当該容器の蓋面、側面、底面の表面のうち１〜２面に、ＵＶ印刷された日本古来の絵柄、又は祝い様相の精巧で、緻密な絵柄、或は図柄、或いはプリント写真、或は文体を施しているＵＶ印刷を施した精巧な模様表面を持つ装飾性木製容器である。【００１７】箱体を１〜５重に重ねた蓋付き重箱状容器が、一枚の箱体を縦１００〜５００ｍｍ、横１００〜５００ｍｍ、一辺の長さ５０〜１５０ｍｍ、直径１００〜３００ｍｍ、高さ３０〜１００ｍｍの四角形体、又は多角形体、又は円筒形体、楕円形体で、全体の高さとして４０〜５００ｍｍであって、当該箱体は杉材、松材、ナラ材、ファルカタ材、檜材、ヒバ材、桐材の０．８〜１０ｍｍ厚さの平板からなって、各箱体の接合は側板の上下に印籠型嵌め込み式、或は被せ式で、各箱体からなる重箱状容器の側面においては連続的表面状態になっている。【００１８】重箱状容器で、それらの蓋面、側面、底面の表面のうち１〜２面に対してＵＶ印刷された日本古来の絵柄、又は祝い様相の精巧で、緻密な絵柄、或は図柄、或いはプリント写真、或は文体を、各表面に対して３０％以上の割合の面積で描いており、当該絵柄・図柄は、浮世絵、著名な山、日本古来の用具、動物、人物像、植物、建物、絵画、自然であって、鶴の絵柄、龍の絵柄、花笠絵柄、花吹雪絵柄、桜梅絵柄、松竹梅絵柄、御所車絵柄、浮世絵絵柄、扇絵柄、鶴亀絵柄、万華鏡絵柄、鳳凰絵柄、月兎絵柄、花車絵柄、市松模様絵柄、扇子模様絵柄、友禅絵柄  絣模様絵柄，花菊絵柄  から選ばれた１種、又は２種以上の絵柄・図柄、写真を各表面に施されている。ＵＶ印刷では、インキが材質に染み込んでいかないために、インキの吸収性の高い木質材料には流動性に気を配るなど必要はない。また速乾性のためにインキを乾燥させるためにすぐに次の工程に回せ、種々の色合いの印刷が可能である。【００１９】重箱状接合容器は、蓋体と各箱体の縁部に印籠的に接合で，各箱体を嵌合可能な嵌め込み式、或は被せ式の形状になって、前記の縁部で開口の接合箇所に嵌め込み接合に適合した状態にしており、前記箱体及び蓋体には蓋面、側面、底面の表面の内で１〜２面にＵＶ印刷を施した精巧な模様の絵柄、或は図柄、或いはプリント写真、或は文体の表面になって、その側面においては重箱全面の表面一体に形成され、前記表面体にＵＶ印刷で描かれた絵柄或いは図柄の面は、その表面で３０〜９０％面積割合を有している。ＵＶ印刷はインキとして、顔料、樹脂（フェノール樹脂、又はアルキッド樹脂）、アクリル酸モノマー、増感剤・開始剤などからなる組成である。顔料と樹脂（フェノール樹脂、又はアルキッド樹脂）とアクリル酸モノマーと増感剤・開始剤との比率は１５〜２５％：１０〜３０％：３０〜６０％：５〜１５％である。印刷は、この紫外線（０．１〜０．４μｍの光照射）のエネルギーを利用することによって硬化、乾燥する上記のインキで、紫外線硬化型印刷である。
【考案の効果】
【００２０】木製箱型重箱で日本古来の絵柄、又は祝い様相の絵柄における精巧な図柄を描いているＵＶ印刷を施した化粧板は、食品等を収納できる木製容器において、当該容器が、四角形体、又は多角形体、又は円筒形体、又は楕円形体で、上記形状体を１〜５重に重なった蓋付き重箱状接合容器で、蓋面、側面、底面の表面のうち１〜２面にほどこしているので、日本古来の絵柄、又は祝い様相の絵柄における精巧な図柄によって、重箱自体が重臣感をもった製品になった。
しかも、化粧板の化粧面はＵＶ印刷により作り出されるので、特殊デザインが異なる多種多様表面の化粧板な重箱を造作もなく製造できる効果がある。ＵＶ印刷は、油性インキに比べて摩擦などの耐性にも優れおり、インキが材質に染み込んでいかないために、インキの吸収性の高い木質材料には流動性に気を配るなど必要はない。また油性インキではさまざまな事柄に対処しなければならないが、その必要性がない。また速乾性のためにインキを乾燥させるためにすぐに次の工程に回せ、種々の色合いの印刷が可能である。【００２１】既述従来から使用される箱体のパッケージである各箱体の接合は印籠型嵌め込み式で重箱構造であって、側面においては連続均一表面状態になっている木製箱体に装飾面を構成する木製箱体の形成部材に精巧なＵＶ印刷を用い、杉材、檜材、ヒバ材、桐材等の木製箱体の表面に刻印された木製箱体の形成部材にはものであり、在来の厚紙、樹脂により製出された重箱における、安っぽくて気品が無く低級さを感受するものでない。しかもＵＶ印刷を施した装飾性木製重箱は、利用した後に廃棄されることはなく、檜材、桐材等の木製箱体は、高級感が出現した。また高価となる絵柄を持った木製重箱は、重厚性、高級感から尊ばれ、装飾品として飾ることができた。
【図面の簡単な説明】
【００２２】
【図１】ＵＶ印刷を施した精巧な模様表面を持つ装飾性木製容器の斜視図  Ａ：一重四角体  Ｂ：三重四角体  Ｃ：二重円筒体
【図２】ＵＶ印刷を施した精巧な模様表面を持つ装飾性木製容器の図  Ａ：平面図  Ｂ：断面図  Ｃ：正面図  Ｄ：接合部
【図３】ＵＶ印刷を施した精巧な模様表面を持つ装飾性木製容器における絵柄・図柄の図  Ａ：浮世絵  Ｂ：鶴  Ｃ：市松
【考案を実施するための形態】
【００２３】以下、本考案の実施形態について図面に基づいて説明する。図１は、ＵＶ印刷を施した精巧な模様表面を持つ装飾性木製容器の斜視図、図２は、ＵＶ印刷を施した精巧な模様表面を持つ装飾性木製容器の図、図３は、ＵＶ印刷を施した精巧な模様表面を持つ装飾性木製容器における絵柄図である。
【実施例１】
【００２４】図１Ｂに示すように、３重に重なった蓋付き重箱状接合容器当該容器が、一枚の箱体を縦１９５ｍｍ、横１９５ｍｍ、一辺の長さ４３ｍｍ、の四角形体で、全体の高さとして１００ｍｍであって、厚さ６ｍｍの厚さのファルカタ材の平板からなって、各箱体の接合は印籠型嵌め込み式で、側面においては連続均一表面状態にした。【００２５】重箱状接合容器で、それらの蓋面、側面の表面のうち２面で当該面に対してローランド社製ＬＥＦ３０型のＵＶ印刷で施した日本古来の絵柄における精巧な図柄を各面に対して５０〜７０％程度の割合面積で、当該絵柄は、お祝いの絵柄を蓋面、側面の各面に施した。【００２６】重箱状接合容器は、蓋体と各箱体の縁部に印籠的に接合で，図２のＣ，Ｄに示すように、各箱体を３ｍｍの印籠型嵌合可能な嵌め込み式形状になって、前記の縁部で開口の接合箇所に嵌め込み接合に適合した状態にしており、前記箱体及び蓋体には蓋面、側面の表面の２面にＵＶ印刷を施した精巧な模様の浮世絵の絵柄の表面になって、その側面においては重箱二重の表面一体に形成され、前記表面体にＵＶ印刷で富士と波の図柄の面は、その表面で７０％程度の面積割合を有した。これは食品を収めた重箱として使用された。
【実施例２】
【００２７】実施例１と同様に、１重の蓋付き重箱状接合容器当該容器が、一枚の箱体を縦１９０ｍｍ、横１９０ｍｍ、高さ５０ｍｍの四角形体で、全体の高さとして１５５ｍｍであって、厚さ５ｍｍの厚さの桐の平板からなって、各箱体の接合は印籠型嵌め込み式で、側面においては連続均一表面状態になった。【００２８】重箱状接合容器で、それらの蓋面の表面のうち１面で当該面に対してＵＶ印刷で施した祝い様相の絵柄における精巧な図柄を１面に対して５０％の割合面積で、当該絵柄は、鶴の絵柄を施した。【００２９】重箱状接合容器は、蓋体と各箱体の縁部に印籠的に接合で，各箱体を嵌合可能な嵌め込み式形状になって、前記の縁部で開口の接合箇所に嵌め込み接合に適合した状態にしており、前記箱体及び蓋体には蓋面の表面の１面にＵＶ印刷を施した精巧な模様の浮世絵の絵柄の表面になって、その側面においては重箱の蓋体の表面一体に形成され、前記表面体にＵＶ印刷で鶴描いた図柄の面は、その表面で５０％面積割合を有した。これは食品を収めた重箱として使用された。
【実施例３】
【００３０】３重に重なった蓋付き重箱状接合容器当該容器が、一枚の箱体を一辺の長さ１５０ｍｍ、高さ４５ｍｍの八角形体で、全体の高さとして１６０ｍｍであって、厚さ３ｍｍの厚さのヒバの平板からなって、各箱体の接合は印籠型嵌め込み式で、側面においては連続均一表面状態になっている。【００３１】重箱状接合容器で、それらの蓋面、側面の表面のうち２面で当該面に対してＵＶ印刷で施した日本古来の絵柄の絵柄における精巧な図柄を各面に対して６０％程度の割合面積で、当該絵柄は、日本古来の用具であって、扇子模様絵柄、の絵柄を各面に施した。【００３２】図１Ｃに示すように、重箱状接合容器は、蓋体と各箱体の縁部に印籠的に接合で，各円筒体を嵌合可能な嵌め込み式形状になって、前記の縁部で開口の接合箇所に嵌め込み接合に適合した状態にしており、前記円筒体及び蓋体には蓋面、側面の表面の２面にＵＶ印刷を施した精巧な模様の浮世絵の絵柄の表面になって、その側面においては重箱二重の表面一体に形成され、前記表面体にＵＶ印刷で扇子模様の図柄の面は、その表面で６０％面積割合を有した。これは贈答品を収めた重箱として使用された。
【実施例４】
【００３３】箱体を蓋付き重箱状接合容器が、一枚の箱体を直径２９０ｍｍ、高さ５０ｍｍの円筒形体で高さとして５５ｍｍであって、当該箱体は杉材の３ｍｍ厚さの平板からなって、各箱体の接合は会わせ被い式で、箱体の側面においては連続的均一表面状態になった。【００３４】図１に示すように、重箱状接合容器で、それらの蓋面の表面のうち１面に対してＵＶ印刷された祝い様相の精巧で、緻密な図柄を、各表面に対して８０％以上の割合の面積で描いており、当該絵柄は松竹梅絵柄を蓋表面に施された。【００３５】重箱状接合容器は、蓋体と各箱体の縁部に被い合わせ的に接合になって、前記の縁部で開口の接合箇所に被い接合に適合した状態にしており、前記箱体及び蓋体には蓋面の表面にＵＶ印刷を施した精巧な模様の松竹梅の絵柄の表面になって、その側面においては重箱の表面一体に形成され、前記表面体にＵＶ印刷で松竹梅絵柄の図柄の面は、その表面で８０％面積割合を有した。これは食品を収めた重箱として使用された。
【符号の説明】
【００３６】１．重箱
２．箱体
３．蓋体
４．図柄、絵柄
５．ＵＶ印刷
６．印籠接合
７．側面
８．底面
９．蓋付き重箱状容器
１０．食品
１１．贈答品
１２．印籠上部
１３．印籠下部
１４．被い接合
【図１】
0003206355.tif 000003
【図２】
0003206355.tif 000004
【図３】
0003206355.tif 000005
【手続補正書】
【提出日】平成28年6月16日(2016.6.16)
【手続補正１】
【補正対象書類名】実用新案登録請求の範囲
【補正対象項目名】全文
【補正方法】変更
【補正の内容】
【実用新案登録請求の範囲】
【請求項１】
食品を収納できる木製容器において、当該容器が、四角形体、又は多角形体、又は円筒形体、又は楕円形体で、上記形状体を１〜５重に重なった蓋付き重箱状容器であって、当該容器の蓋面、側面、底面の表面のうち１〜２面に、ＵＶ印刷された日本古来の絵柄、又は祝い様相の精巧で、緻密な絵柄、或は図柄、或いはプリント写真、或は文体を施していることを特徴とするＵＶ印刷を施した精巧な模様表面を持つ装飾性木製容器。
【請求項２】
箱体を１〜５重に重ねた蓋付き重箱状容器が、一枚の箱体を縦１００〜５００ｍｍ、横１００〜５００ｍｍ、高さ３０〜１００ｍｍの四角形体、又は一辺の長さ５０〜１５０ｍｍ、高さ３０〜１００ｍｍの多角形体、又は直径１００〜３００ｍｍ、高さ３０〜１００ｍｍ円筒形体、楕円形体で、全体の高さとして４０〜５００ｍｍであって、当該箱体は杉材、松材、ナラ材、ファルカタ材、檜材、ヒバ材、桐材の０．８〜１０ｍｍ厚さの平板からなって、各箱体の接合は側板の上下に印籠型嵌め込み式、或は被せ式で、各箱体からなる重箱状容器の側面においては連続的表面状態になっていることを特徴とする請求項１に記載のＵＶ印刷を施した精巧な模様表面を持つ装飾性木製容器。
【請求項３】
重箱状容器で、それらの蓋面、側面、底面の表面のうち１〜２面に対してＵＶ印刷された日本古来の絵柄、又は祝い様相の精巧で、緻密な絵柄、或は図柄、或いはプリント写真、或は文体を、各表面に対して３０％以上の割合の面積で描いており、当該絵柄・図柄は、浮世絵、著名な山、日本古来の用具、動物、人物像、植物、建物、絵画、自然であって、鶴の絵柄、龍の絵柄、花笠絵柄、花吹雪絵柄、桜梅絵柄、松竹梅絵柄、御所車絵柄、浮世絵絵柄、扇絵柄、鶴亀絵柄、万華鏡絵柄、鳳凰絵柄、月兎絵柄、花車絵柄、市松模様絵柄、扇子模様絵柄、友禅絵柄  絣模様絵柄，花菊絵柄  から選ばれた１種、又は２種以上の絵柄・図柄、写真を各表面に施されていることを特徴とする請求項１、又は請求項２に記載のＵＶ印刷を施した精巧な模様表面を持つ装飾性木製容器。
【請求項４】
重箱状容器は、蓋体と各箱体の縁側板の上下に印籠的形式、又は被せ式の接合で，各箱体を嵌合可能な嵌め込み式形状になって、前記の縁側板部で開口の接合箇所に嵌め込み接合に適合した状態にしており、前記各箱体及び蓋体からなる重箱状容器には、蓋面、側面、底面の表面の内で１〜２面にＵＶ印刷を施した精巧な模様の絵柄、或は図柄の表面になって、その側面においては重箱全面の表面一体に形成され、前記表面にＵＶ印刷で描かれた絵柄或いは図柄、或いはプリント写真、或は文体の面は、その表面で３０〜９０％面積割合を有していることを特徴とする請求項１〜請求項３のいずれかに記載のＵＶ印刷を施した精巧な模様表面を持つ装飾性木製容器。
【手続補正２】
【補正対象書類名】明細書
【補正対象項目名】００１７
【補正方法】変更
【補正の内容】
【００１７】箱体を１〜５重に重ねた蓋付き重箱状容器が、一枚の箱体を縦１００〜５００ｍｍ、横１００〜５００ｍｍ、高さ３０〜１００ｍｍの四角形体、又は一辺の長さ５０〜１５０ｍｍ、高さ３０〜１００ｍｍの多角形体、又は直径１００〜３００ｍｍ、高さ３０〜１００ｍｍ円筒形体、楕円形体で、全体の高さとして４０〜５００ｍｍであって、当該箱体は杉材、松材、ナラ材、ファルカタ材、檜材、ヒバ材、桐材の０．８〜１０ｍｍ厚さの平板からなって、各箱体の接合は側板の上下に印籠型嵌め込み式、或は被せ式で、各箱体からなる重箱状容器の側面においては連続的表面状態になっている。